(57)【要約】【課題】  棚板の構造を複雑にすることなく、棚本体に棚板を容易に取り付けることができ、棚本体から棚板を取り外す際にも、棚板を支持する棚受け具が安易に取り外れることのない棚受け具を備えた棚装置を提供すること。【解決手段】  側板４の内側面側に棚受け具１０を固定支持するための取付金具６が固設され、この取付金具６に前後方向に広幅の係着孔６ａが穿設され、棚受け具１０は、係着孔６ａに係着される前後方向を向くフック部１２と、このフック部１２と一体的に成形され、左右の両側板間側に突出する雄ネジ部１３から成る係着体１１と、雄ネジ部１３と螺合する雌ネジ部１４ａが螺設された棚板支持用ナット１４で構成され、フック部１２を係着孔６ａに挿入した状態で、棚板支持用ナット１４をネジの締め方向に移動させて、フック部１２と棚板支持用ナット１４とで係着孔６ａ外周の取付金具６を挟持する。【選択図】  図５
2006130177.tif 000002
【特許請求の範囲】
【請求項１】
棚本体の側板の内側面の前部及び後部に上下方向に並べて係着孔を設け、該係着孔の適宜の位置に係着した棚受け具に、棚板の左右下面の前後に形成した凹溝部を載置することにより、左右の側板間に棚板を架設できるようにした棚装置であって、前記側板の内側面側に棚受け具を固定支持するための取付金具が固設され、この取付金具に前後方向に広幅の係着孔が穿設され、前記棚受け具は、前記係着孔に係着される前後方向を向くフック部と、該フック部と一体的に成形され、左右の両側板間側に突出する雄ネジ部から成る係着体と、該雄ネジ部と螺合する雌ネジ部が螺設された棚板支持用ナットで構成され、前記フック部を前記係着孔に挿入した状態で、前記棚板支持用ナットをネジの締め方向に移動させて、前記フック部と前記棚板支持用ナットとで係着孔外周の取付金具を挟持するようにしたことを特徴とする棚装置。
【請求項２】
前記取付金具は断面コ字状に成形され、前記側板の上下方向に延びて側板の内側面の前部及び後部に設けられた凹溝内に、前記断面コ字状の両側部が嵌入し、前記コ字状の底面部に上下方向に並べた複数の係着孔が穿設されている請求項１に記載の棚装置。
【請求項３】
前記フック部は、前後方向を向く二つの突出部を有し、前記係着孔外周の取付金具内側面で前後方向を向いて取り付けるようにした請求項１または２に記載の棚装置。
【請求項４】
前記フック部の二つの突出部のうち、少なくとも一方の突出部の内側面が、前記係着孔外周の取付金具内側面と当接する直線部を有する請求項１乃至３のいずれかに記載の棚装置。
【請求項５】
前記直線部と前記雄ネジ部が連接する部位が円弧状に凹設され、前記直線部を有する突出部と逆側の突出部の外側端縁が、外方に向かって円弧状に凸設している請求項４に記載の棚装置。
【請求項６】
前記直線部を有する突出部と逆側の突出部の先端に、前記係着孔外周の取付金具内側面と所定間隙を存して対峙している係合片を有する請求項４または５に記載の棚装置。
【発明の詳細な説明】
【技術分野】
【０００１】
本発明は、棚本体の側板の内側面の前部及び後部に上下方向に並べて係着孔を設け、該係着孔の適宜の位置に係着した棚受け具に、棚板の左右下面の前後に形成した凹溝部を載置することにより、左右の側板間に棚板を架設できるようにした棚装置に関する。
【背景技術】
【０００２】
従来の複数の棚板が上下に多段に設けられた棚装置は、棚本体の左右側板の内側面の前後に棚柱が平行に埋設されており、棚柱の上下に複数の透孔が穿設されている。これら透孔の所定の高さ位置には、板金で上面視コ字状に形成されたフックが前後左右の四箇所に取り付けられている。このフックは、上下に延設される基片と上方に突出するカム面とで構成され、透孔に基片を係止させることで、棚柱に係止され取り付けられている。
【０００３】
一方、棚板の左右側端の下端位置には、切欠溝が前後に向けて形成されており、この切欠溝を閉蓋するように下方に向く起立片と、水平片とを具備した板金製の棚受金具が設けられ、棚受金具の前後位置の起立片と水平片の間に開口が形成されている。そこで、棚板を棚本体に取り付けるには、上述したフックの基片とカム面との間に形成された凹溝部に起立片を差し入れることでフックに嵌合され、棚板が棚本体内の所定の高さ位置に取り付けられる（例えば、特許文献１参照）。
【０００４】
【特許文献１】実公平７−２２１０２号公報（第２頁３８行〜第３頁２４行、第３図、第４図、第５図）
【発明の開示】
【発明が解決しようとする課題】
【０００５】
しかしながら、特許文献１にあっては、脚柱に取り付けられたフックは、基片の係止のみで透孔に取り付けられているので、フックのガタツキが生じやすく、稀にフックに載置された棚板を棚本体から取り外した際に、透孔からフックが取り外れてしまうことがあった。また、棚板を棚本体に簡便に取り付けることができるものの、棚板の左右側端の下端位置に切欠溝を形成させ、かつ棚受金具を設ける必要があり、棚板の構造が複雑となるため棚板の製造コストが高くなっていた。
【０００６】
本発明は、このような問題点に着目してなされたもので、棚板の構造を複雑にすることなく、棚本体に棚板を容易に取り付けることができ、棚本体から棚板を取り外す際にも、棚板を支持する棚受け具が安易に取り外れることのない棚受け具を備えた棚装置を提供することを目的とする。
【課題を解決するための手段】
【０００７】
上記課題を解決するために、本発明の請求項１に記載の棚受け具を備えた棚装置は、棚本体の側板の内側面の前部及び後部に上下方向に並べて係着孔を設け、該係着孔の適宜の位置に係着した棚受け具に、棚板の左右下面の前後に形成した凹溝部を載置することにより、左右の側板間に棚板を架設できるようにした棚装置であって、前記側板の内側面側に棚受け具を固定支持するための取付金具が固設され、この取付金具に前後方向に広幅の係着孔が穿設され、前記棚受け具は、前記係着孔に係着される前後方向を向くフック部と、該フック部と一体的に成形され、左右の両側板間側に突出する雄ネジ部から成る係着体と、該雄ネジ部と螺合する雌ネジ部が螺設された棚板支持用ナットで構成され、前記フック部を前記係着孔に挿入した状態で、前記棚板支持用ナットをネジの締め方向に移動させて、前記フック部と前記棚板支持用ナットとで係着孔外周の取付金具を挟持するようにしたことを特徴としている。
この特徴によれば、フック部と棚板支持用ナットとが間隔があくように離した状態でフック部を係着孔に挿入できるので、挿入作業が楽に行え、且つフック部の挿入後は、棚板支持用ナットをネジの締め方向に移動させることで、フック部と棚板支持用ナットとが取付金具を挟持するので、棚受け具を取付金具に確実に係着させることができる。また、前後方向に広幅に穿設された係着孔に前後方向を向くフック部が係着されるので、棚板支持用ナット締め付け時に係着体が前後方向に移動しても高さ方向のズレは生じないので、棚板は常に水平状態を保つことができる。
【０００８】
本発明の請求項２に記載の棚受け具は、請求項１に記載の棚受け具を備えた棚装置であって、前記取付金具は断面コ字状に成形され、前記側板の上下方向に延びて側板の内側面の前部及び後部に設けられた凹溝内に、前記断面コ字状の両側部が嵌入し、前記コ字状の底面部に上下方向に並べた複数の係着孔が穿設されていることを特徴としている。
この特徴によれば、取付金具の断面コ字状の両側部が側板の凹溝内に嵌入することで、取付金具の取付強度の向上が図れ、断面コ字状の底面部に複数の係着孔を穿設することで、断面コ字状の三面すべてを有効利用することができる。
【０００９】
本発明の請求項３に記載の棚受け具は、請求項１または２に記載の棚受け具を備えた棚装置であって、前記フック部は、前後方向を向く二つの突出部を有し、前記係着孔外周の取付金具内側面で前後方向を向いて取り付けるようにしたことを特徴としている。
この特徴によれば、係着孔の前後方向をフック部の前後方向に合わせた状態で、一方の突出部を先に係着孔に挿入させ、その後他方の突出部を挿入できるので、フック部の挿入が楽であり、係着孔に挿入後は二つの突出部が係着孔外周の取付金具内側面に対して前後方向に向いているので、そのままの状態で棚板支持用ナットをねじ込むことができ、取付作業が容易に行える。
【００１０】
本発明の請求項４に記載の棚受け具は、請求項１乃至３のいずれかに記載の棚受け具を備えた棚装置であって、前記フック部の二つの突出部のうち、少なくとも一方の突出部の内側面が、前記係着孔外周の取付金具内側面と当接する直線部を有することを特徴としている。
この特徴によれば、棚板支持用ナットをねじ込んだ時、係着孔外周の取付金具内側面と直線部とが当接するので、係合面積の範囲が広がり、棚受け具の取付金具に対する確実な支持が実現できる。
【００１１】
本発明の請求項５に記載の棚受け具は、請求項４に記載の棚受け具を備えた棚装置であって、前記直線部と前記雄ネジ部が連接する部位が円弧状に凹設され、前記直線部を有する突出部と逆側の突出部の外側端縁が、外方に向かって円弧状に凸設していることを特徴としている。
この特徴によれば、直線部を有する突出部を先に係着孔に挿入して円弧状に凹設された部位を係着孔に当接させ、その後棚受け具を回動させれば、凹設された円弧を支点として逆側の突出部に円滑な回動運動を与えると共に、逆側の突出部の外側端縁が円弧状に凸設しているので、係着孔に対して少ない間隙のもとに係着孔を通過させることができる。
【００１２】
本発明の請求項６に記載の棚受け具は、請求項４または５に記載の棚受け具を備えた棚装置であって、前記直線部を有する突出部と逆側の突出部の先端に、前記係着孔外周の取付金具内側面と所定間隙を存して対峙している係合片を有することを特徴としている。
この特徴によれば、フック部の一方の突出部が棚板支持用ナットと協動して取付金具を挟持し、他方の突出部に設けた係合片が係着孔外周の取付金具内側面と所定間隙を有して対峙している、棚受け具の左右方向の移動が抑えられると共に、棚受け具を取り外すときに、係着体を傾動することが容易となり、棚受け具の取り外し作業が楽に行える。
【発明を実施するための最良の形態】
【００１３】
本発明の実施例を以下に説明する。
【実施例１】
【００１４】
図１は、本発明の実施例１における棚装置の全体像を示す斜視図であり、図２は、棚板の下面より棚装置を見上げた斜視図であり、棚柱への棚受け具の取り付け、及び棚受け具に棚板が載置された状態を示し、図３は、棚板支持用ナットに係着体を取り付ける過程を示す棚受け具の分解組立斜視図であり、図４は、棚板支持用ナットに係着体が螺合された状態を示す棚受け具の断面図であり、図５（ａ）は、棚柱の係着孔に係着体のフック部を係着させる状態を示す断面図であり、図５（ｂ）は、さらにフック部を係着孔内に係合させる過程を示す断面図であり、図５（ｃ）は、棚受け具を係着孔に取り付けた断面図である。
【００１５】
本発明の棚受け具１０は、棚装置の棚本体内に設けられる棚板の支持手段として用いられている。そこで、本発明の実施例１を図面に基づいて説明すると、まず図１に示されるように、棚装置１は主に、左右に立設された側板４，４と、これら側板４，４の上端部に設けられた天板２と、側板４，４の下端部に設けられた載置台３と、から構成される枠体である棚本体１ａと、棚本体１ａ内の上下方向に向けて複数段（本実施例では４段）架設された棚板５とで構成されている。以下、本実施例では棚装置１の正面側を前方とし、背面側を後方とし、側板４，４側を左右方向として説明する。
【００１６】
図２に示すように、側板４，４の内側面の前部および後部には、上下の長さ方向に向けて取付金具６が設けられており、取付金具６には、棚受け具１０を固定支持するための係着孔６ａが前後方向に幅広の横長矩形で上下方向に向けて複数穿設されており、これら係着孔６ａの所定の高さ位置には、棚受け具１０が取り付けられている。この棚受け具１０は、後述において詳述に説明するが、この棚受け具１０は、係着孔６ａ内に係着される係着体１１と、棚板５を支持する円柱型の棚支持用ナット（以下、ナット）１４とから成り、棚板５下面の前部及び後部において長さ方向に形成された凹溝部５ａにナット１４が嵌合することで、棚板５が支持される。
【００１７】
棚受け具１０について具体的に説明すると、図３に示されるように、棚受け具１０は鉤状のフック部１２と雄ネジ部１３とからなる係着体１１と、円柱状のナット１４から構成され、係着体１１のフック部１２には、前後方向を向く突出部１２ｂおよび突出部１２ｄが形成されており、突出部１２ｄ側が突出部１２ｂに比べ一方側に大きく突出され、平板状の雄ネジ部１３には、ナット１４に形成された雌ネジ部１４ａに螺合するネジが部分的に螺設されている。
【００１８】
そこで、雄ネジ部１３と雌ネジ部１４ａを螺合して、ナット１４またはフック部１２を回転させれば、図４に示されるように、雌ネジ部１４ａに雄ネジ部１３が螺合されていき、係着体１１とナット１４を一体にして棚受け具１０が構成される。雄ネジ部１３にはネジが部分的にしか螺設されていないので、軽快に螺合操作を行うことができる。なお、係着孔６ａに取り付ける際には、雌ネジ部１４ａ内に雄ネジ部１３を完全に侵入させずに、若干遊びを設けてある。
【００１９】
図４にて係着体１１のフック部１２構造について説明すると、突出部１２ｄの雄ネジ部１３側の内側面には直線部１２ｅが形成され、さらに直線部１２ｅから雄ネジ部１３にかけて両者を連接する部位は凹設された円弧１２ｆが形成され、直線部１２ｅが形成された他方の突出部１２ｂの外側端縁にかけては、外方に向かって凸設された円弧１２ｃが形成され、この円弧１２ｃの雄ネジ部１３側は係合片１２ａとなっている。
【００２０】
次に、係着体１１とナット１４で一体成形された棚受け具１０を取付金具６に取り付ける過程を説明する。図５（ａ）に示されるように、取付金具６は上面視断面コ字状に成形され、取付金具６の断面コ字状の両側部が側板４の嵌合溝４ａ内に嵌入することで、取付金具６の取付強度の向上が図れ、断面コ字状の底面部に複数の係着孔６ａを穿設することで、断面コ字状の三面すべてを有効利用することができるようになっている。
【００２１】
係着孔６ａに棚受け具１０を取り付けるには、図５（ａ）に示されるように、フック部１２とナット１４との間隔があくように若干離間させた状態で、棚受け具１０を傾けて係着孔６ａに対して、フック部１２の突出部１２ｄ側を先に挿入させていき、直線部１２を係合孔６ａに当接させながら、凹設された円弧１２ｆが係着孔６ａに当接するまで突出部１２ｄを取付金具６の内側に挿入する。
【００２２】
さらに、図５（ｂ）に示されるように、凹設された円弧１２ｆを係着孔６ａに当接させた状態で、棚受け具１０を回動させていくことで、円弧１２ｆを支点として逆側の突出部１２ｂに円滑な回動運動を与えるとともに、突出部１２ｂの外側端縁が凸設された円弧１２ｅに形成されているので、フック部１２に対して少ない間隙であっても円滑に係着孔６ａを通過させていくことができる。
【００２３】
そして、図５（ｃ）に示されるように、フック部１２が係着孔６ａを介して嵌合溝４ａ内に挿入されると、突出部１２ｄ，１２ｂが係着孔６ａの口径よりも前後の外方に向けて突出された状態となる。そこで、ナット１４を回転させながら係着体１１の雄ネジ部１３を雌ネジ部１４にねじ込ませていくことで、係着孔６ａ外周の前方側の内側面６ｂに直線部１２ｅが当接されるとともに、内側面６ｂの反対面にナット１４の端面が当接されていき、係着孔６ａ外方が直線部１２ｅとナット１４の端面に挟持され、取付金具６に棚受け具１０が固定される。
【００２４】
このように、係着孔６ａの前後方向をフック部１２の前後方向に合わせた状態で、一方の突出部１２ｄを先に係着孔６ａに挿入させ、その後、他方の突出部１２ｂを挿入できるので、フック部１２の挿入が楽であり、係着孔６ａに挿入後は二つの突出部１２ｄ，１２ｂが係着孔６ａ外周の取付金具６の内側面６ｂに対して前後方向に向いているので、そのままの状態でナット１４をねじ込むことができ取付作業が容易に行える。
【００２５】
しかも、係着孔６ａ外周の取付金具６の内側面６ｂと直線部１２ｅとが当接されるので、係合面積の範囲が広がり、取付金具６に棚受け具１０を強固に取り付けることができ、安易に取り外れが防止され、棚受け具１０の取付金具６に対する確実な支持が実現できる。
【００２６】
なお、直線部１２ｅを有する突出部１２ｄと逆側に位置する突出部１２ｂの先端には、係着孔６ａ外周の取付金具６の内側面６ｂと所定間隙を存して対峙した係合片１２ａを有することから、フック部１２の突出部１２ｄがナット１４と協動して、取付金具６に挟持された際に、係合片１２ａが係着孔６ａ外周の内側面６ｂと所定間隙を有して対峙しているので、棚受け具１０の左右方向の移動が抑えられると共に、特に図示しないが棚受け具１０を取り外すときに、その所定間隙を利用して係着体１１を傾動させることが容易となり、棚受け具１０の取り外し作業が楽に行える。
【００２７】
以上の説明により実施例１では、フック部１２とナット１４との間隔があくように離した状態でフック部１２を係着孔６ａに挿入できるので挿入作業が楽に行え、且つフック部１２の挿入後は、ナット１４をネジの締め方向に移動させることで、フック部１２とナット１４とが取付金具６を挟持するので、棚受け具１０を取付金具６に確実に係着させることができる。
【００２８】
したがって、棚板５の下面に形成された凹溝部５ａを棚受け具１０に載置するだけで、棚板５の構造を複雑にすることなく、棚本体１ａ内に容易に取り付けることができ、棚本体１ａから棚板５を取り外す際にも、棚受け具１０が係着孔６ａから安易に取り外れてしまう事が防止されている。
【００２９】
また、前後方向に広幅に穿設された係着孔６ａに前後方向を向くフック部１２が係着されるので、ナット１４締め付け時に係着体１１が前後方向に移動しても高さ方向のズレは生じないので、棚板５は常に水平状態を保つことができる。
【実施例２】
【００３０】
次に、本発明の実施例２を図６に基づいて説明する。図６（ａ）は、棚受け具の取り付けの一変形例を示す断面図であり、図６（ｂ）も同様に棚受け具の取り付けの一変形例を示す断面図である。なお、以下の実施例２において前述の実施例１と同様の構造部分に関しては、同一の符号を付すことにより詳細な説明は省略することにする。
【００３１】
まず、図６（ａ）に示されるように、側板４の表面に取り付けられた表面板４’は金属製のスチール材で構成されており、フック部１２が収納される収納空間４ａ’が形成され、係着孔６ａ’の外周面に取付面１５が構成されている。このように、表面板４’はスチール材で構成されているので、棚受け具の取付金具として充分な強度を有し、且つ美感的にも優れている。
【００３２】
次に、図６（ｂ）に示されるように、棚板４’’には実施例１の嵌合溝４ａと略同型の嵌合溝４ａ’’が形成され、この嵌合溝４ａ’’を閉蓋するようにボルト１７で板金の取付金具１６が取り付けられている。この取付金具１６には、実施例１の係着孔６ａと同型の係着孔１６ａが貫通されている。このように、取付金具１６が板金で構成されているので、製作コストも低く抑えられる。そしてこの取付金具１６は上下方向に延びる一枚の板金であっても良いし、いくつかに分割した板物であっても良い。
【００３３】
以上、本発明を実施例に基づき説明したが、本発明はこれに限定されるものではなく、例えば、棚板５の下面に形成した凹溝部５ａは長さ方向に渡って設ける必要はなく座ぐり孔でも良い。また、係着体は平板状で部分的に雄ネジが螺設されたものを用いているが、フック部を平板状とし雄ネジ部を通常の円柱体で構成しても良い。
【図面の簡単な説明】
【００３４】
【図１】本発明の実施例１における棚装置の全体像を示す斜視図である。
【図２】棚板の下面より棚装置を見上げた斜視図であり、取付金具への棚受け具の取り付け、及び棚受け具に棚板が載置された状態を示す。
【図３】棚板支持用ナットに係着体を取り付ける過程を示す棚受け具の分解組立斜視図である。
【図４】棚板支持用ナットに係着体が螺合された状態を示す棚受け具の断面図である。
【図５】（ａ）は、取付金具の係着孔に係着体のフック部を係着させる状態を示す断面図であり、（ｂ）は、さらにフック部を係着孔内に係合させる過程を示す断面図であり、（ｃ）は、棚受け具を係着孔に取り付けた断面図である。
【図６】（ａ）は、実施例２における棚受け具の取り付けの一変形例を示す断面図であり、（ｂ）も同様に棚受け具の取り付けの一変形例を示す断面図である。
【符号の説明】
【００３５】
１                    棚装置
１ａ                  棚本体
２                    天板
３                    載置台
４、４’’            側板
４’                  表面板
４ａ、４ａ’’        嵌合溝
４ａ’                収納空間
５                    棚板
５ａ                  凹溝部
６                    取付金具
６ａ、６ａ’          係着孔
６ｂ                  内側面
１０                  棚受け具
１１                  係着体
１２                  フック部
１２ａ                係合片
１２ｂ                突出部
１２ｃ                凸設された円弧
１２ｄ                突出部
１２ｅ                直線部
１２ｆ                凹設された円弧
１３                  雄ネジ部
１４                  ナット（棚支持用ナット）
１４ａ                雌ネジ部
１５                  取付面
１６                  取付金具
１６ａ                係着孔
１７                  ボルト
【図１】
2006130177.tif 000003
【図２】
2006130177.tif 000004
【図３】
2006130177.tif 000005
【図４】
2006130177.tif 000006
【図５】
2006130177.tif 000007
【図６】
2006130177.tif 000008